(57)【要約】      （修正有）【課題】極めて容易に、しかも場所をとらずに一つの回転雪洞により、日本特有の四季折々の葬祭時を表現し、一年を通して使用できるようにした葬祭時用雪洞セットを提供する。【解決手段】葬祭時用雪洞セットは、少なくとも脚１、燭洞２からなる雪洞本体と、複数本の回転筒４からなるものであり、燭洞２の内部には電球５が立設され、この電球５に先端部を尖らせた支承細杵６を立設させて構成されており、電球に立設した支承細杵６の先端部分で回転筒４を支承させて電球を被覆するように構成されており、回転筒４は模様などが描かれた透光性の筒状シート４１と蓋状体４２からなり、蓋状体４２は、透光性筒状シート４１を保持するとともに、上部に切り込みを入れて折り曲げることにより形成されたフィン４３を有してなる回転雪洞１基と、異なった模様が描かれた複数本の透光性筒状シートを有する回転筒とからなる。【選択図】図２
0003150428.tif 000002
【実用新案登録請求の範囲】
【請求項１】
少なくとも脚（１）、燭洞（２）からなる雪洞本体（１１）と、複数本の回転筒（４）からなるものであり、燭洞（２）の内部には電球（５）が立設され、この電球（５）に先端部を尖らせた支承細杵（６）を立設させて構成されており、電球に立設した支承細杵（６）の先端部分で回転筒（４）を支承させて電球を被覆するように構成されており、回転筒（４）は模様などが描かれた透光性の筒状シート（４１）と蓋状体（４２）からなり、蓋状体（４２）は、透光性筒状シート（４１）を保持するとともに、上部に切り込みを入れて折り曲げることにより形成されたフィン（４３）を有してなる回転雪洞１基と、異なった模様が描かれた複数本の透光性筒状シートを有する回転筒とからなる葬祭時用雪洞セット。
【請求項２】
回転筒が、正月用回転筒、ひな祭り用回転筒、節句用回転筒、七夕用回転筒、お盆用、七五三用回転筒、クリスマス用回転筒の７つの回転筒である請求項１記載の葬祭時用雪洞セット。
【考案の詳細な説明】
【技術分野】
【０００１】  本考案は、葬祭時用雪洞セットに関し、正月用飾り用回転筒、ひな祭り用回転筒、節句用回転筒、七夕用回転筒、お盆用回転筒、七五三用回転筒、クリスマス用回転筒などの葬祭時に使用できる飾り回転筒複数本と、回転雪洞１基をセットとして収納ケースに収納してなる葬祭時用雪洞セットに関する。
【背景技術】
【０００２】  従来の回転雪洞（ぼんぼり或いは走馬燈）は、お盆や葬祭に使用されるのが主であり、高価な回転雪洞も年に１回程度しか使用されないものであった。一方、日本特有の祭時である正月、ひな祭り、節句、七夕などでは、門松、ひな人形、五月人形、鯉のぼり、七夕飾りなどとしては、大型の飾りが使用されていた。近年では、核家族化に伴いひな人形セットなどのように小型のセット飾りも増えてきているが、それぞれのセット飾りをそろえなければならず、しかも飾るのはせいぜい数日間だけであるため、これらのセット飾りをそれぞれ収納するケースが必用となり、また収納するスペースも必用となってしまうものであった。１年に一回飾るだけなので、これらの飾りを収納したスペースは無駄なスペースとなってしまうものであった。さらに生活習慣や環境変化などにより家庭などで祭る風潮も少なくなってきている。
【考案の開示】
【考案が解決しようとする課題】
【０００３】  本考案は、上記したような日本の伝統的な葬祭時の祭り方や飾りなどを、極めて容易に、しかも場所をとらずに一つの回転雪洞（ぼんぼり或いは走馬燈）により、日本特有の四季折々の葬祭事を表現し、一年を通して使用できるようにした葬祭時用雪洞セットに関するものである。
【課題を解決するための手段】
【０００４】  本考案の葬祭時用雪洞セットは、脚（１）、燭洞（２）からなる雪洞本体（１１）と、複数本の回転筒（４）からなるものである。燭洞（２）の内部には電球（５）が立設され、この電球（５）に先端部を尖らせた支承細杵（６）を立設させて構成されており、電球に立設した支承細杵（６）の先端部分で回転筒（４）を支承させて電球を被覆するように構成されている。回転筒（４）は模様などが描かれた透光性の筒状シート（４１）と、この透光性筒状シート（４１）を保持するとともに支承細杵の先端部に支承される凹みを有する蓋状体（４２）からなるものである。凹みに代えて蓋状体の中心部に小孔を設け、支承細杵の先端部分を小孔に通して支承しても良い。もちろん脚（１）、燭洞（２）に加えて、手掛（３）からなる雪洞本体（１１）を使用してもよいものである。【０００５】  電源を入れると電球（５）が灯り、回転筒は電球の発する熱によって引き起こされる上昇気流が回転筒（４）の蓋状体（４２）上部に切り込みを入れて折り曲げることにより形成されたフィン（４３）に当たり、折り曲げにより形成された排気孔から抜け出すことにより回転筒（４）が回転する。回転筒（４）が回転することにより透光性の筒状シートに描かれた模様は、電球からの投光により、燭洞の飾り窓（２１）投影され、回転筒（４）の回転により、燭洞の飾り窓（２１）に投影された模様が流れるように映し出され、鑑賞する者の目には走馬灯のような外観が映るものである。【０００６】  請求項１に記載された本考案に係る雪洞本体は少なくとも、脚（１）、燭洞（２）からなり、燭洞は円筒形、円錐台筒体、多角筒体、多角錐台筒体から選ばれる１以上の筒体から構成され、燭洞には少なくとも１以上の飾り窓（２１）が形成され、飾り窓（２１）の内側には透光性シートが配置されるとともに、模様等が描かれた透光性シートからなる回転筒（４）が電球に設置された支承杵に配置されたものであることを特徴とするものである。また燭洞に手掛（３）を取り付けてもよいものである。【０００７】  脚（１）、燭洞（２）、手掛（３）は、合成樹脂製、木製、紙製のいずれのものであっても良い。燭洞を合成樹脂で構成する場合には、一体的に射出成形などで形成したものであっても良いし、いくつかの形成片を組み合わせて形成しても良い。木で構成する場合には、複数の燭洞構成片を組み合わせて構成するのが好ましい。紙から構成する場合には、ボール紙、段ボール紙、ハニカムコア紙等の厚紙から燭洞形成片を作製し、この燭洞形成片を組み合わせて構成することができる。また、合成樹脂，木、紙などの材料を組み合わせて雪洞を構成してもよい。【０００８】  燭洞には１以上の飾り窓（２１）が形成され、飾り窓の内側には透光性シートが配置される。飾り窓（２１）を複数形成する場合には、その形状、飾りは同じである必用はなく、各面に形成される飾り窓（２１）を異別の形状、飾りとすることができる。もちろん飾り窓は、通常の四角形のままでも良いものである。また内側に配置される透光性シートも同じである必用はなく複数種類を使用することができる。【０００９】  燭洞（２）は円筒体、円錐台筒体、多角筒体、多角錐台筒体のいずれの形状でも良い。多角筒体と多角錐台筒体とを組み合わせたものや円筒体と円錐台筒体とを組み合わせたものでも良い。多角筒体や多角錐台筒体は、五角筒体、五角錐台筒体、六角筒体、六角錐台筒体等の多角筒体もしくは多角錐台筒体であればいずれのものであっても良い。特に正四角筒体、正六角筒体、正八角筒体など正偶数角筒体や正偶数角錐台筒体のものが好ましい。正偶数角筒体や正偶数角錐台筒体のものが好ましい。正偶数角筒体や正偶数角錐台筒体のものは点対称になっているので、どの方向から見ても同様の外観を有するので好ましいものである。【００１０】  透光性シートとしては、透明または半透明の合成樹脂シートの他、一方の面に光を照射して反対側から光を視認できるものであればいずれのものでもよい。たとえば、和紙、不織布、織布、編布なども使用できるものである。透光性シートを合成樹脂シートから形成する場合、合成樹脂シートは無色透明、無色半透明、着色透明、着色半透明のいずれのものから形成してもよい。また、合成樹脂シートは透光性を阻害しない範囲で任意の模様を印刷したものであってもよく、更には、透明着色インクを使用した場合には、全面に任意の模様を印刷したものであってもよい。もちろん、透光性シートとして和紙、不織布、織布、編布などのプラスチックシート以外のものであっても、合成樹脂シートと同様に任意の模様を印刷することができる。合成樹脂シート以外の和紙、不織布、織布、編布などを使用した場合には使用済み後に焼却処分をすることができる。さらに、合成樹脂シート、紙、布などの単体から形成したものばかりでなく、これらを積層して複数層からなる透光性シート材で形成してもよい。例えば、透光性合成樹脂シートの表面に透光性の紙や布を貼り合わせて積層構造にしたものなども透光性シートとして使用できるものである。【００１１】  透光性シートを形成する合成樹脂シートとしては、ポリエステルシート、ポリスチレンシート、メタクリ樹脂シート、ポリプロピレンシート、ポリカーボネートシート、ジアリールフタレート樹脂シート、フェノール樹脂シート、塩化ビニル樹脂シート、ポリアミドシート等、あらゆる合成樹脂のシートが使用できるが、燭洞に使用される電球の放熱により軟化して変形しないものが好ましい。【００１２】  燭洞（２）に形成された少なくとも１以上の飾り窓（２１）の内面側に透光性シートを配置するには、飾り窓の大きさに合わせた大きさの透光性シートを、それぞれの飾り窓（２１）の内側面に、接着などの固定手段で固定すれば良いものである。また、透光性シートの長手方向の両縁部を接着などの固定手段で固定して円筒体とし、これを燭洞の内側に配置させても良いものである。もちろん、燭洞の形に合わせて、透光性シートを折り曲げて多角筒体に形成しても良い。特に、透光性シートを円筒体にすると、燭洞の形状が何れのものであっても使用できるので好ましい【００１３】  本考案の雪洞は、３本の脚部材の上部に下部枠体（１１）を合すると共に、３本の脚部材の下部を下部脚固定部材により固定して脚（１）を組立、下部枠体（１１）の上面に電球を取付け、この電球を被覆するように燭洞（２１）を下部枠体（１１）に嵌合して組み立てるものであり、手掛（３）を使用するものの場合には、燭���（２１）の上部に形成された手掛嵌合部に、房（４）を取り付けた手掛（３）を嵌合して組み立てるものである。
【考案の効果】
【００１４】  本考案の葬祭時用雪洞セットは、脚（１）、燭洞（２）とからなり、燭洞（２）は円筒体、円錐台筒体、多角筒体、多角錐台筒体から選ばれる１以上の筒体から構成され、燭洞（２）には少なくとも１以上の飾り窓（２１）が形成され、該飾り窓（２１）の内側には透光性シートが配置されるとともに、模様等が描かれた透光性シートからなる回転筒（４）を支承する支承細杵が電球に設置された回転雪洞１基と、模様等が描かれた透光性シートからなる回転筒複数本とからなるものであるので、模様が描かれた透光性シートを有する回転筒を取り替えることにより、季節毎の葬祭時の時に飾ることができるものである。従って、従来の飾り雛、鯉のぼり、甲冑や兜、などのように大型のものを出し入れしなくても、極めて容易に飾ることができるものである。また、収納するときも、模様が描かれた透光性シートからなる回転筒を回転雪洞から取り外し、模様が描かれた透光性シート有する回転筒を収納すると共に、回転雪洞を脚（１）と燭洞（２）に分解して収納すればよいので、小さい子供でも容易に片つけることができるものである。
【図面の簡単な説明】
【００１５】
【図１】本考案に使用される回転雪洞の一例を示す説明図
【図２】本考案に使用される回転雪洞に使用される燭洞の一例を示す説明図
【図３】正月用の回転筒に使用される透光性シートの一例を示す図
【図４】七夕用の回転筒に使用される透光性シートの一例を示す図
【図５】クリスマスの回転筒に使用される透光性シートの一例を示す図
【符号の説明】
【００１６】  １・・・脚
２・・・燭洞
３・・・手掛
４・・・回転筒
５・・・電球
６・・・支承細杵
１１・・・回転雪洞
２１・・・飾り窓
４１・・・透光性筒状シート
４２・・・蓋状体
４３・・・フィン
【図１】
0003150428.tif 000003
【図２】
0003150428.tif 000004
【図３】
0003150428.tif 000005
【図４】
0003150428.tif 000006
【図５】
0003150428.tif 000007